(57)【特許請求の範囲】
【請求項１】
入浴時に幼児が使用するバスチェアーであって、
座面部を有するベース部材と、
背もたれ面部を有し、前記ベース部材に着脱可能に取り付けられた背面部材とを備え、
前記背面部材は、前記ベース部材に後傾および前傾可能に支持され、
前記ベース部材は、その後方部分の幅方向両端部に、前記背面部材の両側面に対面する１対の後部立壁部を有し、
前記ベース部材の後部立壁部および前記背面部材の側面のうちの一方に、その表面から突出する位置と内側に後退する位置との間を変位可能な第１の係合軸および第２の係合軸を設け、他方に前記第１係合軸および第２係合軸を受け入れる第１軸穴および第２軸穴を設け、
前記第２軸穴は複数設けられており、それらは前記第１軸穴から等距離に位置する、幼児用バスチェアー。
【請求項２】
前記第１軸穴および前記第２軸穴は、それぞれ複数設けられている、請求項１に記載の幼児用バスチェアー。
【請求項３】
前記複数の第２軸穴は、一つの前記第１軸穴から等距離に位置し、
前記複数の第１軸穴は、一つの前記第２軸穴から等距離に位置する、請求項２に記載の幼児用バスチェアー。
【請求項４】
前記第１係合軸および第２係合軸は、前記背面部材の両側面に設けられており、
前記背面部材は、
前記第１係合軸を前記突出位置にもたらすように付勢する第１付勢部材と、
前記第１係合軸を前記第１付勢部材の付勢力に抗して前記後退位置にまで移動させるための第１操作部材と、
前記第２係合軸を前記突出位置にもたらすように付勢する第２付勢部材と、
前記第２係合軸を前記第２付勢部材の付勢力に抗して前記後退位置にまで移動させるための第２操作部材とを含む、請求項１〜３のいずれかに記載の幼児用バスチェアー。
【請求項５】
前記ベース部材は、前記１対の後部立壁部の内壁面に、所定の深さだけ凹んだ窪み領域を有し、
前記第１軸穴および前記第２軸穴は、前記窪み領域に設けられており、
前記第１係合軸および前記第２係合軸は、前記突出位置と前記後退位置との間の中間位置で停止し得るように設けられており、
前記中間位置においては、前記第１係合軸および前記第２係合軸は、前記第１軸穴および前記第２軸穴からは脱出しているが、前記窪み領域から脱出できない高さだけ背面部材の両側面から突出している、請求項４に記載の幼児用バスチェアー。
【請求項６】
前記背面部材は、前記ベース部材とほぼ平行な位置関係となるまで前傾可能に設けられている、請求項１〜５のいずれかに記載の幼児用バスチェアー。
【請求項７】
前記ベース部材は、その前方部分の幅方向中央部から上方に立ち上がって延びる柱部と、前記柱部の上方端部から幅方向の両側に延びている前ガード部とを備える、請求項１〜６のいずれかに記載の幼児用バスチェアー。
【請求項８】
前記前ガード部は、前記柱部に着脱可能に取り付けられている、請求項７に記載の幼児用バスチェアー。
【請求項９】
前記ベース部材は、その前方部分の幅方向両端部に上方に向かって隆起した１対の前部立壁部を有する、請求項１〜８のいずれかに記載の幼児用バスチェアー。
【発明の詳細な説明】
【技術分野】
【０００１】
この発明は、入浴時に乳児または幼児が使用するバスチェアーに関するものである。
【背景技術】
【０００２】
特開２００４−１２１４９１号公報および特開２００２−１１９３９１号公報は、幼児用バスチェアーを開示している。これらの公報に開示された幼児用バスチェアーは、座面部を有するベース部材と、背もたれ面部を有し、ベース部材に後傾可能に取り付けられた背面部材と、ベース部材の前方部分の上方に位置し幅方向に延びる前ガード部材とを有している。
【特許文献１】特開２００４−１２１４９１号公報
【特許文献２】特開２００２−１１９３９１号公報
【発明の開示】
【発明が解決しようとする課題】
【０００３】
上記の公報に開示された幼児用バスチェアーは、背面部材がベース部材に対してリクライニング調節可能にされているが、背面部材とベース部材とを回動可能に連結する回動軸の周りに水垢がたまりやすい。浴室は湿気が多いので、水垢からカビが発生することがあり、衛生上好ましくない。
【０００４】
この発明の目的は、常に清潔に保つことのできる幼児用バスチェアーを提供することである。
【課題を解決するための手段】
【０００５】
この発明に従った幼児用バスチェアーは、入浴時に幼児が使用するものであって、座面部を有するベース部材と、背もたれ面部を有し、ベース部材に着脱可能に取り付けられた背面部材とを備える。背面部材は、ベース部材に後傾および前傾可能に支持される。この発明によれば、背面部材の取り外しが可能であるので、背面部材とベース部材とを回動可能に連結する回動軸の周りを清潔に保つことができる。好ましい実施形態では、ベース部材は、その後方部分の幅方向両端部に、背面部材の両側面に対面する１対の後部立壁部を有する。ベース部材の後部立壁部および背面部材の側面のうちの一方に、その表面から突出する位置と内側に後退する位置との間を変位可能な第１の係合軸および第２の係合軸を設け、他方に第１係合軸および第２係合軸を受け入れる第１軸穴および第２軸穴を設けている。第２軸穴は複数設けられており、それらは第１軸穴から等距離に位置する。
【０００９】
上記の実施形態において、第１軸穴および第２軸穴は、それぞれ複数設けられている。また、好ましくは、複数の第２軸穴は、一つの第１軸穴から等距離に位置し、複数の第１軸穴は、一つの第２軸穴から等距離に位置する。
【００１０】
さらに好ましい実施形態において、第１係合軸および第２係合軸は、背面部材の両側面に設けられている。背面部材は、第１係合軸を突出位置にもたらすように付勢する第１付勢部材と、第１係合軸を第１付勢部材の付勢力に抗して後退位置にまで移動させるための第１操作部材と、第２係合軸を突出位置にもたらすように付勢する第２付勢部材と、第２係合軸を第２付勢部材の付勢力に抗して後退位置にまで移動させるための第２操作部材とを含む。好ましくは、ベース部材は、１対の後部立壁部の内壁面に、所定の深さだけ凹んだ窪み領域を有し、第１軸穴および第２軸穴は、窪み領域に設けられている。第１係合軸および第２係合軸は、突出位置と後退位置との間の中間位置で停止し得るように設けられており、中間位置においては、第１係合軸および第２係合軸は、第１軸穴および第２軸穴からは脱出しているが、窪み領域から脱出できない高さだけ背面部材の両側面から突出している。
【００１１】
一つの実施形態では、背面部材は、ベース部材とほぼ平行な位置関係となるまで前傾可能に設けられている。このような構成であれば、コンパクトな折り畳み形態を実現できる。
【００１２】
好ましくは、ベース部材は、その前方部分の幅方向中央部から上方に立ち上がって延びる柱部と、柱部の上方端部から幅方向の両側に延びている前ガード部とを備える。前ガード部は、好ましくは、柱部に着脱可能に取り付けられている。
【００１３】
好ましくは、ベース部材は、その前方部分の幅方向両端部に上方に向かって隆起した１対の前部立壁部を有する。
【発明を実施するための最良の形態】
【００１４】
図１〜図３は、この発明の一実施形態に係る幼児用バスチェアーを示している。これらの図を参照して、まず、幼児用バスチェアーの外観に現れる全体形態を説明する。
【００１５】
幼児用バスチェアー１は、乳児または幼児が入浴時に使用するものであり、座面部１１を有するベース部材１０と、背もたれ面部５１を有する背面部材５０とを備える。後に詳細に説明するが、背面部材５０は、ベース部材１０に着脱可能に取付けられており、さらに図示した実施形態では、ベース部材１０に後傾および前傾可能に支持されている。
【００１６】
ベース部材１０は、その前方部分の幅方向中央部から上方に立ち上がって延びる柱部１４と、この柱部１４の上方端部から幅方向の両側に延びている前ガード部１５とを備える。後述するが、前ガード部１５は、柱部１４に着脱可能に取付けられている。前ガード部１５の上面中央部には、幼児の興味を惹く球体１６が回転可能に収納されている。
【００１７】
ベース部材１０は、その後方部の幅方向両端部に、背面部材５０の両側面に対面する１対の後部立壁部１２を有し、その前方部の幅方向両端部に、上方に向かって隆起した１対の前部立壁部１３を有する。
【００１８】
背面部材５０は、その両側部から前方に張り出した１対の側壁部５２を有している。バスチェアーに座る幼児は、１対の側壁部５２によって身体の左右側部が支えられ、さらにその両足を１対の前部立壁部１３と柱部１４との間に位置させることになるので、安定した姿勢を維持できる。
【００１９】
図４〜図８は、背面部材５０を示している。背面部材５０は、その両側壁面から突出する位置と内側に後退する位置との間を変位可能な第１の係合軸５３および第２の係合軸５４を有している。これに対応して、背面部材５０の両側壁面に対面するベース部材の１対の後部立壁部１２の内壁面に、第１係合軸５３を受け入れるようにされた２個の第１軸穴２３、および第２係合軸５４を受け入れるようにされた２個の第２軸穴２４が設けられている（図９参照）。図示した実施形態では、相対的に小さい第１係合軸５３が相対的に大きい第２係合軸５４の上方に位置している。
【００２０】
図６〜図８は、背面部材５０の内部に収容されている部品を図解的に示している。図示するように、１対の第１係合軸５３は１対の第１係合部材５５に固定され、１対の第２係合軸５４は１対の係合部材５６に固定されている。１対の第１係合部材５５は、背面部材５０に固定された第１固定ばね受け６３に一端が支持された第１ばね５９によって、常に幅方向外側に移動するように付勢されている。第１ばね５９の他端は、第１係合部材５５に固定された第１ばね当接部５７に当接している。同様に、１対の第２係合部材５６は、背面部材５０に固定された第２固定ばね受け６４に一端が支持された第２ばね６０によって、常に幅方向外側に移動するように付勢されている。第２ばね６０の他端は、第２係合部材５６に固定された第２ばね当接部５８に当接している。なお、ばね５９，６０に代えて、弾性的な付勢力を発揮する他の付勢部材を用いてもよいことは言うまでもない。
【００２１】
図６に示す状態では、１対の第１係合部材５５および１対の第２係合部材５６が最も幅方向外側に位置しており、１対の第１係合軸５３および１対の第２係合軸５４が背面部材５０の両側面から大きく突出する突出位置にもたらされている。
【００２２】
図５および図６を参照すればわかるように、１対の第１係合部材５５には、それぞれそれらの移動操作を行うための１対の第１操作部材６１が固定して取付けられており、１対の第２係合部材５６には、それらの移動操作を行うための１対の第２操作部材６２が固定して取付けられている。１対の第１操作部材６１および１対の第２操作部材６２は、背面部材５０の背面から外に露出している。１対の第１操作部材６１を指で挟んで近づけるようにすれば、第１係合軸５３が、第１ばね５９の付勢力に抗して背面部材５０の中に後退する後退位置にもたらされる。同様に、１対の第２操作部材６２を指で挟んで近づけるようにすれば、第２係合軸５４が、第２ばね６０の付勢力に抗して背面部材５０の中に後退する後退位置にもたらされる。
【００２３】
図６に示すように、１対の第１係合部材５５間および１対の第２係合部材５６間に位置して上下方向に延びる第３係合部材６７が、背面部材５０内に収容されている。第３係合部材６７は、上下方向に変位可能に設けられている。第３係合部材６７の移動操作を行うための操作つめ７２は、背面部材５０の背面から外に露出している。
【００２４】
第３係合部材６７は、背面部材５０に固定された第３固定ばね受け６５に一端が支持された第３ばね６６によって、常に上方位置へ移動するように付勢されている。１対の第１係合部材５５は、背面部材５０の幅方向中央に向かって突出した第１突起６８を有し、１対の第２係合部材５６は、背面部材５０の幅方向中央に向かって突出した第２突起６９を有している。第３係合部材６７は、１対の第１係合部材５５の第１突起６８に対面し得る位置に第３突起７０を有し、１対の第２係合部材５６の第２突起６９に対面し得る位置に第４突起７１を有している。
【００２５】
図６に示す状態から、１対の第１操作部材６１および１対の第２操作部材６２をそれぞれ互いに近づくように操作した後の状態が図７に示されている。図７に示す状態では、第３係合部材６７の第３突起７０と１対の第１係合部材５５の第１突起６８とが当接しており、そのため１対の第１係合軸５３は背面部材５０の両側面から僅かに突出している中間位置に留まっている。同様に、第３係合部材６７の第４突起７１と１対の第２係合部材５６の第２突起６９とが当接しており、そのため１対の第２係合軸５４は背面部材５０の両側面から僅かに突出している中間位置に留まっている。
【００２６】
図８は、第３係合部材６７の操作つめ７２を操作して第３係合部材６７を下方の位置に移動させ、さらに第１操作部材６１および第２操作部材６２を操作して第１および第２係合部材５５，５６を背面部材５０の幅方向中央に向かって移動させた後の状態を示している。図示した状態では、第３係合部材６７の第３突起７０および第４突起７１が、それぞれ、１対の第１係合部材５５の第１突起６８および１対の第２係合部材５６の第２突起６９からずれた位置にあるので、１対の第１係合軸５３および１対の第２係合軸５４は、それぞれ、背面部材５０の両側面から内部に完全に後退した後退位置にもたらされている。
【００２７】
次に、図９および図１０を参照して、ベース部材１０について説明する。ベース部材１０の１対の後部立壁部１２の内壁面には、所定の深さだけ窪んだ窪み領域２２が設けられている。２個の第１軸穴２３および２個の第２軸穴２４は、窪み領域２２に設けられている。２個の第２軸穴２４は、上方に位置する一つの第１軸穴２３から等距離に位置し、２個の第１軸穴２３は、前方（図９において左側）に位置する一つの第２軸穴２４から等距離に位置している。
【００２８】
図９に示すように、前ガード部１５の円筒部分は、柱部１４の円柱状凹部内に収容される。柱部１４は、円柱状凹部の底部から上方に突出する固定爪１７を有している。前ガード部１５は、固定爪１７に係止し得る係合穴１８を持つ係合片１９を有している。係合片１９は、ばね２１によって、固定爪１７に係止する方向に付勢されている。前ガード部１５は、係合片１９を移動操作するための操作ボタン２０を有する。
【００２９】
図９に示す状態では、柱部１４の固定爪１７と前ガード部１５の係合片１９とが係止した関係となっているので、前ガード部１５を柱部１４から取り外せない。図９に示す状態から、押しボタン２０を押圧操作すると、係合片１９と固定爪１７との係止状態が解除されるので、前ガード部１５を柱部１４から取り外すことができるようになる。
【００３０】
図１１〜図１４は、背面部材５０の姿勢をいろいろと変えた状態を示している。各状態について説明する。
【００３１】
まず、図１１に示す状態では、第１係合軸５３が上方に位置する第１軸穴２３に嵌り、第２係合軸５４が後部上方に位置する第２軸穴２４に嵌っており、背面部材５０はベース部材１０とほぼ平行な位置関係となるまで前傾している。図１１は、バスチェアーを使用していないときの形態、すなわちコンパクトに折り畳んだ形態を示している。
【００３２】
図１１に示す状態から、第２操作部材６２を操作して第２係合軸５４を後退させる。この操作では、第２係合部材５６の第２突起６９と第３係合部材６７の第４突起７１とが当接するので、第２係合軸５４は、突出位置と後退位置との間の中間位置に留まる。すなわち、この中間位置においては、第２係合軸５４は、第２軸穴２４からは脱出しているが、１対の後部立壁部１２の内面に設けられた窪み領域２２から脱出できない高さだけ背面部材５０の両側面から突出している。この状態から、背面部材５０を第１係合軸５３を中心にして後方へ回動させると、図１２に示す状態が得られる。
【００３３】
図１２に示す状態では、第２係合軸５４が前部下方に位置する第２軸穴２４に嵌っており、背面部材５０が僅かに後傾して椅子としての使用が可能になる。図１２に示す状態から、第１操作部材６１を操作して第１係合軸５３を後退させる。この操作では、第１係合部材５５の第１突起６８と第３係合部材６７の第３突起７０とが当接するので、第１係合軸５３は、突出位置と後退位置との間の中間位置に留まる。すなわち、この中間位置においては、第１係合軸５３は、第１軸穴２３からは脱出しているが、窪み領域２２から脱出できない高さだけ背面部材５０の両側面から突出している。この状態から、背面部材５０を第２係合軸５４を中心として後方へ回動させると、図１３に示す状態が得られる。
【００３４】
図１３に示す状態では、第１係合軸５３が下方に位置する第１軸穴２３に嵌っており、背面部材５０が大きく後傾した状態になる。図１３に示す状態から、第１操作部材６１を操作して第１係合軸５３を第１軸穴２３から脱出させ、背面部材５０をさらに後方へ回動させると、図１４に示す状態が得られる。図１４に示す状態では、背面部材５０の背面がベース部材１０の後端当り部２５に当接することによって、背面部材５０の位置が固定される。
【００３５】
背面部材５０をベース部材１０から取り外すときには、まず第３係合部材６７の操作つめ７２を操作して第３係合部材６７を下方の位置へ移動させ、その状態で第１操作部材６１および第２操作部材６２を操作して、第１係合軸５３および第２係合軸５４を完全な後退位置にまで後退させる。第１係合軸５３および第２係合軸５４は、背面部材５０の両側壁面から完全に内部に後退しているので、背面部材５０をベース部材１０から取り外すことができる。
【００３６】
図示した実施形態では、背面部材５０に第１係合軸５３および第２係合軸５４を設け、ベース部材１０に第１軸穴２３および第２軸穴２４を設けたが、他の実施形態として、ベース部材に第１および第２係合軸を設け、背面部材に第１および第２軸穴を設けるようにしてもよい。さらに他の実施形態として、背面部材をベース部材から取り外すことはできるが、背面部材の傾斜角度が固定されたバスチェアーであってもよい。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３８】
この発明は、清潔に保つことのできる幼児用バスチェアーとして有利に利用され得る。
【図面の簡単な説明】
【００３９】
【図１】この発明の一実施形態に係る幼児用バスチェアーの斜視図である。
【図２】幼児用バスチェアーの正面図である。
【図３】幼児用バスチェアーの側面図である。
【図４】背面部材を示す図であり、（ａ）は平面図、（ｂ）は正面図、（ｃ）は側面図である。
【図５】背面部材の背面図である。
【図６】背面部材の内部機構を図解的に示す図である。
【図７】図６に示す状態から、第１操作部材および第２操作部材を操作した後の状態を示す図である。
【図８】第３係合部材を下方に移動させた状態で、第１操作部材および第２操作部材を操作した後の状態を示す図である。
【図９】ベース部材の側面断面図である。
【図１０】ベース部材の正面断面図である。
【図１１】バスチェアーの側面断面図であり、背面部材を前傾させた状態を示している。
【図１２】バスチェアーの側面断面図であり、背面部材を僅かに後傾させた状態を示している。
【図１３】バスチェアーの側面断面図であり、背面部材を大きく後傾させた状態を示している。
【図１４】バスチェアーの側面断面図であり、背面部材を大きく後傾させて寝かせた状態を示している。
【符号の説明】
【００４０】
１  幼児用バスチェアー、１０  ベース部材、１１  座面部、１２  後部立壁部、１３  前部立壁部、１４  柱部、１５  前ガード部、１６  球体、１７  固定爪、１８  係合穴、１９  係合片、２０  押しボタン、２１  ばね、２２  窪み領域、２３  第１軸穴、２４  第２軸穴、２５  後端当り部、５０  背面部材、５１  背もたれ面部、５２  側壁部、５３  第１係合軸、５４  第２係合軸、５５  第１係合部材、５６  第２係合部材、５７  第１ばね当接部、５８  第２ばね当接部、５９  第１ばね、６０  第２ばね、６１  第１操作部材、６２  第２操作部材、６３  第１固定ばね受け、６４  第２固定ばね受け、６５  第３固定ばね受け、６６  第３ばね、６７  第３係合部材、６８  第１突起、６９  第２突起、７０  第３突起、７１  第４突起、７２  操作つめ。
【図１】
0005140839.tif 000002
【図２】
0005140839.tif 000003
【図３】
0005140839.tif 000004
【図４】
0005140839.tif 000005
【図５】
0005140839.tif 000006
【図６】
0005140839.tif 000007
【図７】
0005140839.tif 000008
【図８】
0005140839.tif 000009
【図９】
0005140839.tif 000010
【図１０】
0005140839.tif 000011
【図１１】
0005140839.tif 000012
【図１２】
0005140839.tif 000013
【図１３】
0005140839.tif 000014
【図１４】
0005140839.tif 000015